(57)【要約】  【課題】風圧による被覆シートのバタツキを効果的に抑えることができるとともに、被覆シートへの張力導入が均一かつ容易に行え、かつ温室設置後における被覆シートの一部補修時に、簡単に被覆シートの張力を開放できる温室構造を提供する。  【解決手段】一定間隔で配置された架構面材４，４…と、この架構面材４，４…を繋ぐ連結材５，５…とからなる架構２と、この架構空間を覆う日射透過性の被覆シート３とから構成される温室構造１において、前記連結材５，５…を支持材として、前記架構面材４方向に沿って被覆シート受け材７，７…を配設するとともに、該被覆シート受け材７，７…が前記架構２の室内外方向に移動調整可能とされる構造とする。前記被覆シート受け材７は、各架構面材４，４間に所定間隔で配設する。【選択図】図５
2006158248.tif 000002
【特許請求の範囲】
【請求項１】
一定間隔で配置された架構面材と、この架構面材を繋ぐ連結材とからなる架構と、この架構空間を覆う日射透過性の被覆シートとから構成される温室構造において、
前記連結材を支持材として、前記架構面材方向に沿って被覆シート受け材を配設するとともに、該被覆シート受け材が前記架構の室内外方向に移動調整可能とされることを特徴とする温室構造。
【請求項２】
前記連結材と被覆シート受け材とを連結する支持具は、架構の室内外方向に移動調整可能とされた調整ボルトである請求項１記載の温室構造。
【請求項３】
前記被覆シート受け材は、各架構面材間に所定間隔で配設されている請求項１、２いずれかに記載の温室構造。
【発明の詳細な説明】
【技術分野】
【０００１】
本発明は、野菜、花き、果樹などを栽培するための温室構造に関する。
【背景技術】
【０００２】
従来より、野菜、花き、果樹などを気候条件に左右されることなく生産するために、建屋として温室が利用されている。この温室は、気温、光、水分などの環境因子を調節する目的で、栽培空間を日射透過性の被覆資材で覆った構造のものである。
【０００３】
前記温室は、被覆資材によって大きくはガラス温室とプラスチックハウスとに大別される。後者のプラスチックハウスは、任意断面形状の骨組（架構）の外面側をプラスチックフィルム（被覆シート）によって覆った構造であるが、例えば図１０に示されるように、前記プラスチックフィルム５２が風に煽られたり、重みなどにより垂れ下がるのを防止するため、屋根の勾配方向に沿って配設される垂木５１、５１…を、例えば６００〜７００mm程度の間隔で多数設けるようにしている（下記特許文献１等参照）。
【特許文献１】実用新案登録第３０３０３０４号公報
【発明の開示】
【発明が解決しようとする課題】
【０００４】
前述のように、小寸法間隔で多数の垂木５１，５１…を配設することによりプラスチックフィルム５２の垂れ下がりは防止できるようになるが、前記プラスチックフィルム５２は垂木５１，５１…が連結された構造材５３，５４を定着点として張設され、前記垂木５１，５１…はプラスチックフィルム５２の裏面側に低い圧力で接触しているだけであるため、風圧によるバタツキを効果的に抑えることができないとともに、前記プラスチックフィルム５２に対して、均一に張力を導入する作業は、人手が掛かり非常に面倒であるなどの問題があった。また、プラスチックフィルム５２の一部に切れ等の破損が生じた場合の補修に際し、プラスチックフィルム５２に張力が導入された状態で補修作業を行わなければならず作業性が非常に悪いという問題もあった。
【０００５】
そこで本発明の主たる課題は、風圧による被覆シートのバタツキを効果的に抑えることができるとともに、被覆シートへの張力導入が均一かつ容易に行え、かつ温室設置後における被覆シートの一部補修時に、簡単に被覆シートの張力を開放できる温室構造を提供することにある。
【課題を解決するための手段】
【０００６】
前記課題を解決するために請求項１に係る本発明として、一定間隔で配置された架構面材と、この架構面材を繋ぐ連結材とからなる架構と、この架構空間を覆う日射透過性の被覆シートとから構成される温室構造において、
前記連結材を支持材として、前記架構面材方向に沿って被覆シート受け材を配設するとともに、該被覆シート受け材が前記架構の室内外方向に移動調整可能とされることを特徴とする温室構造を提供することにある。
【０００７】
上記請求項１記載の本発明においては、従来の垂木に代えて架構の室内外方向に移動調整可能とした被覆シート受け材を設け、被覆シートで架構を覆い該被覆シートの側端部を所定位置に定着した後、前記被覆シート受け材を架構の外方側に移動させることにより、被覆シートへの張力導入が均一かつ容易に行えるようになる。また、前記被覆シート受け材が室外方向に移動し、被覆シートに張力を導入する構造としたため、前記被覆シート受け材は被覆シートの裏面側（室内側の面）に高い圧力で接触するため、風圧によるバタツキを効果的に防止できるようになる。ここで、前記被覆シート受け材の室内外方向への移動調整とは、被覆シート受け材が形状を保持したまま室内外方向にスライド移動する態様と、変形によって室外方向に膨縮するように変形する態様との両者を含むものである。
【０００８】
さらに、温室設置後における被覆シートの一部補修時に際しては、前記被覆シート受け材を架構内側方向に後退させることにより、被覆シートの導入張力を簡単に開放することができ、切れなどの補修を容易に行えるようになる。
【０００９】
なお、前記被覆シート受け材は、構造計算上、架構の構造部材となるものではないため、小断面の部材を使用すれば足りるため、日射を遮る部材面積を極小化でき、野菜、花き、果樹に対する日射量は十分に確保することができる。
【００１０】
請求項２に係る本発明として、前記連結材と被覆シート受け材とを連結する支持具は、架構の室内外方向に移動調整可能とされた調整ボルトである請求項１記載の温室構造が提供される。前記支持具としては種々の構造が考えられるが、室内外方向に前進及び後退可能な調整ボルトとするのが、構造が簡単でかつ製作費が廉価で済む点で望ましい。
【００１１】
請求項３に係る本発明として、前記被覆シート受け材は、各架構面材間に所定間隔で配設されている請求項１、２いずれかに記載の温室構造が提供される。一般的に、被覆シートは架構面材の上面にシート定着具を設け、架構面材間毎に張設されるため、前記被覆シート受け材は各架構面材間に所定の間隔で、例えば1000〜1500mmの間隔で配設するのが望ましい。
【発明の効果】
【００１２】
以上詳説のとおり本発明によれば、架構面材方向に沿って設けた被覆シート受け材を架構の室内外方向に移動調整可能としたため、被覆シートへの張力導入が均一かつ容易に行えるとともに、風圧による被覆シートのバタツキを効果的に防止できるようになる。また、温室設置後における被覆シートの一部補修時に際し、簡単に被覆シートの張力を開放できるようになる。
【発明を実施するための最良の形態】
【００１３】
以下、本発明の実施の形態について図面を参照しながら詳述する。
図１は本発明に係る温室構造１の平面図、図２は図１のII−II線矢視図、図３は図１のIII−III線矢視図、図４は図１のIV−IV線矢視図である。
【００１４】
温室構造１は、一方向に所定間隔で配置されたパイプ、Ｈ形鋼、角形鋼管、Ｃ形鋼材などの形材からなる架構面材４，４…と、これら架構面材４、４…を繋ぐパイプ、Ｈ形鋼、角形鋼管、Ｃ形鋼材などの形材からなる連結材５，５…とにより構成された架構２と、この架構２の空間を覆うように前記架構２の外面に張設された日射透過性の被覆シート３とからなるもので、本発明では特に、前記連結材５，５…を支持材として、前記架構面材４方向に沿って被覆シート受け材７、７…を配設するとともに、該被覆シート受け材７，７…が前記架構２の室内外方向に移動調整可能とされるものである。
【００１５】
以下、更に具体的に詳述すると、
前記架構面材４は、図２に示されるように、一方側の側柱１０を複合柱構造とし、他方側の側柱１１を前記複合柱１０よりも高さの低い単柱構造とし、前記複合柱１０と単柱１１との間に傾斜天井主梁９を架け渡した架構面材とされる。前記複合柱１０は、横断面内に並列配置された２本の柱１０Ａ、１０Ｂを弧状天井主梁１２及び水平材１３によって一体的に組み上げた構造とされ、前記傾斜天井主梁９は、前記複合柱１０の内側柱１０Ｂと、前記傾斜天井主梁９との中間とを連結する補強梁１４によって補強されている。
【００１６】
前記架構面材４，４間には、図１及び図２に示されるように、架構面材４の直交方向に複数列で、各架構面材４，４同士を連結する連結材５，５…が配設され、かつ前記架構面材群４，４…と、前記連結材５，５…群によって区画される各画成領域群の内、端部架構面材４と、これに隣接する次列の架構面材４との間の断面方向の各画成領域列にＸ状のブレース６、６を設けることにより、温室としての骨組が完成されている。
【００１７】
前記架構２の外面側を覆うように設置される被覆シート３としては、日射透過性のプラスチックフィルムが使用されている。具体的には、ポリエステルフィルム、フッ素フィルムなどの硬質フィルム又は塩化ビニルフィルム、ポリエチレンフィルム等のポリオレフィン系フィルムなどの軟質フィルムを好適に使用することができる。
【００１８】
前記被覆シート３は、前記各架構面材４，４…の上面にシート定着具（図示せず）を設け、各架構面材４，４間毎に張設されるようになっており、本温室１では、前記被覆シート３を張り上げるために、前記架構面材４，４の間に、複数条の、図示例では４条の被覆シート受け材７，７…が架構２の全周に亘り設けられている。
【００１９】
前記被覆シート受け材７は、例えば傾斜天井主梁９区間では、図５に示されるように、架構面材４，４…を繋ぐ各連結材５，５…の内、棟部連結材５Ａと、側部連結材５Ｂとの間の傾斜天井区間を１スパンとし、前記棟部連結材５Ａ、３本の中間連結材５，５…及び側部連結材５Ｂを支持材として、架構面材４の方向に沿って配設されている。なお、前記弧状天井主梁１２区間及び側面においても、前記被覆シート受け材７は、これに準じて連結材５，５…を支持材として架構面材４の方向に沿って配設される。
【００２０】
前記被覆シート受け材７の支持部構造は、例えば前記傾斜天井主梁９区間では図７に示されるように、前記中間連結材５として溝型鋼が使用され、前記被覆シート受け材７としては単管パイプが使用されており、これら中間連結材５と被覆シート受け材７とを連結する支持具として調整ボルト１５が使用されている。具体的には、同図に示されるように、前記中間連結材５の上面部に挿通孔５ａを形成し、この挿通孔５ａに貫通させた全ネジの調整ボルト１５を、前記上面部を跨ぐ両側に配設したナット部材１６によって挟持することにより固定を図るようにし、一方被覆シート受け材７の下面側に挿入孔７ａを形成するとともに、該挿入孔７ａ位置に螺合ナット１７を溶接等によって固定し、前記調整ボルト１５の上端を螺入することにより、被覆シート受け材７が連結された構造とされる。なお、前記弧状天井主梁１２区間及び側面区間についても同様である。
【００２１】
また、前記被覆シート受け材７の棟部がわ端部は、図８に示されるように、棟部連結材５Ａの側面に断面略Ｌ字状の板状連結具１８を固設し、この板状連結具１８に被覆シート受け材７の端部がボルト・ナット締結具１９により連結されるとともに、前記被覆シート受け材７の側部がわ端部も、図９に示されるように、側部連結材５Ｂの側面に断面略Ｌ字状の板状連結具２０を固設し、この板状連結具２０に被覆シート受け材７の端部がボルト・ナット締結具２１により連結された構造となっている。すなわち、前記被覆シート受け材７の両端部は、比較的剛性の低い板状の連結具１８，２０を介して、中間連結材５Ａ、５Ｂに連結されることによって、回転方向の変形が容易に許容される構造とされる。
【００２２】
温室１の設置時に、前記被覆シート３へ張力を導入するには、各架構面材４，４間に、ほぼ架構面材４，４区間幅の被覆シート３を順次被せたならば、各架構面材４、４の上部位置でシート定着具（図示せず）によって被覆シート３の側縁部を定着させる。次に、図６及び図７に示されるように、下部側ナット部材１６を緩め、温室１の内側から被覆シート受け材７を持ち上げて上方向に移動（変形）させるか、ナット部材１６を回転させて調整ボルト１５を室外側方向に前進させることにより被覆シート受け材７を上方向に押し上げて、被覆シート３に所望の張力を導入したならば、前記ナット部材１６、１６を締め付け固定を図るようにする。
【００２３】
温室１の設置後に被覆シート３の一部に切れが生じ、その補修を行う場合や、一部の被覆シート３の張り替えを行う場合には、前記ナット部材１６を緩め、前記調整ボルト１５を室内側方向に後退させると、被覆シート受け材７が室内側に移動（変形）し、被覆シート３の張力が開放されるため、被覆シート３の張り替えや補修が容易に行えるようになる。
【００２４】
〔他の形態例〕
(1)上記形態例では、前記被覆シート受け材７は、上記調整ボルト１５によって、架構内外方向に移動調整可能な構造としたが、架構内外方向に移動調整できれば任意の構造とすることでもよい。
(2)上記形態例では、傾斜天井主梁９、弧状天井主梁１２及び側面のすべての周方向範囲に被覆シート受け材７を配設するようにしたが、傾斜天井主梁９，弧状天井梁１２及び側面の内の一部、例えば傾斜天井主梁９の範囲のみに被覆シート受け材７を設けるようにしてもよい。
(3)上記形態例では、被覆シート受け材７の両端部は固定点とし、その中間部分を室外側に膨出させるように変形させるようにしたが、前記被覆シート受け材７の両端部を非拘束とし、形状を保持したまま単に室内外方向にスライド移動させるようにしてもよい。
(4)上記形態例では架構面材４，４間毎（１スパン毎）に被覆シート３を張設するようにしたが、複数スパン毎に被覆シート３を張設するようにしてもよい。
(5)本形態例では複合柱１０を備える特殊断面構造の温室１の例について述べたが、本発明が適用される温室の断面構造は任意であり、温室一般に対して適用が可能である。
【図面の簡単な説明】
【００２５】
【図１】本発明に係る温室１の平面図である。
【図２】図１のII−II線矢視図である。
【図３】図１のIII−III線矢視図（側面図）である。
【図４】図１のIV−IV線矢視図（側面図）である。
【図５】被覆シート３への張力導入前の被覆シート受け材７の横断骨組図である。
【図６】被覆シート３への張力導入時の被覆シート受け材７の横断骨組図である。
【図７】連結材５と被覆シート受け材７との接合部詳細図である。
【図８】被覆シート受け材７と棟部連結材５Ａとの連結部詳細図である。
【図９】被覆シート受け材７と側部連結材５Ｂとの連結部詳細図である。
【図１０】従来の温室における垂木配設例を示す図である。
【符号の説明】
【００２６】
１…温室、２…架構、３…被覆シート、４…架構面材、５…連結材、６…ブレース、７…被覆シート受け材、９…傾斜天井主梁、１０…複合柱、１１…側柱、１２…弧状天井主梁、１５…調整ボルト、１６…ナット部材、１８・２０…板状連結具
【図１】
2006158248.tif 000003
【図２】
2006158248.tif 000004
【図３】
2006158248.tif 000005
【図４】
2006158248.tif 000006
【図５】
2006158248.tif 000007
【図６】
2006158248.tif 000008
【図７】
2006158248.tif 000009
【図８】
2006158248.tif 000010
【図９】
2006158248.tif 000011
【図１０】
2006158248.tif 000012